(57)【要約】  【課題】着座者の身体を支持する支持面を構成する張材と、前記張材が架設されるフレームとを具備する椅子において、簡単な構成できめ細かく張材の張力を調整可能にする。  【解決手段】椅子Ｃの背凭れ１の着座者の身体を支持する支持面たる背凭れ面Ｓを構成する張り部材１２に、第１の張材要素１２１と、この第１の張材要素１２１よりも弾性率が大きく第１の張材要素１２１の後背に重合している第２の張材要素１２１と、これら第１の張材要素１２１と第２の張材要素１２２との間に形成した流体を収容する袋部１２３とを具備させる。  【選択図】図２
2009082527.tif 000002
【特許請求の範囲】
【請求項１】
着座者の身体を支持する支持面を構成するものであって、第１の張材要素と、この第１の張材要素よりも伸縮率が低く第１の張材要素の後背に重合している第２の張材要素と、これら第１の張材要素と第２の張材要素との間に形成した流体を収容する袋部とを具備することを特徴とする家具の張り部材。
【請求項２】
前記袋部を複数具備するものであって、各袋部の外縁となるべき部分で前記第１の張材要素及び前記第２の張材要素を接合して各袋部を形成していることを特徴とする請求項１記載の家具の張り部材。
【請求項３】
前記複数の袋部を互いに連通させているとともに、いずれかの袋部が支持面から受けた外力を受けて収縮した際に他の袋部が膨張するようにしていることを特徴とする請求項２記載の家具の張り部材。
【請求項４】
前記複数の袋部間の連通部に、流体の流通を規制可能な制御弁を設けていることを特徴とする請求項３記載の家具の張り部材。
【請求項５】
前記袋部内部に、空気等の気体を充満させてなるとともに荷重を受けて変形可能なエアバッグを挿入していることを特徴とする請求項１、２、３又は４記載の家具の張り部材。
【請求項６】
前記袋部を、空気等の気体を充満させてなるとともに荷重を受けて変形可能なエアバッグとして構成していることを特徴とする請求項１、２、３又は４記載の家具の張り部材。
【請求項７】
前記袋部内部に挿入したエアバッグ、又は前記エアバッグとして構成した袋体が、気体の流出入を受けて収縮及び膨張可能であることを特徴とする請求項５又は６記載の家具の張り部材。
【請求項８】
前記袋部内に、支持面から外力を受けた状態が解消した際に袋部の形状を外力を受ける以前に回復可能な外形回復手段を設けていることを特徴とする請求項１、２、３、４、５、６又は７記載の家具の張り部材。
【発明の詳細な説明】
【技術分野】
【０００１】
本発明は、着座者の身体を支持する支持面を構成する張材と、前記張材が架設されるフレームとを具備する椅子の背凭れに関する。
【背景技術】
【０００２】
従来、着座者の身体を支持する支持面を構成する張材を弾性を有する部材により構成し、この張材をフレームに架設してなる構成を椅子の背凭れ又は座に採用することが考えられている。このような椅子においては、張材自体の弾性により着座者にクッション感を与えるようにしている（例えば、特許文献１を参照）。
【特許文献１】特願２００６−０１１７２７号明細書
【発明の開示】
【発明が解決しようとする課題】
【０００３】
しかして、このような張材を用いた椅子等の家具において、張材自体の弾性によるクッション感だけでなく、張材内部にウレタン製クッション部材やエアクッション等を設けた椅子と同様のクッション感を与えるようにする要望が存在する。また、このような椅子において、背凭れ面や座面等の支持面の形状を、着座者の背面の形状などに対応させ、座り心地を向上させる要望も存在する。
【０００４】
本発明は、以上に述べた課題を解決すべく構成するものである。
【課題を解決するための手段】
【０００５】
すなわち、本発明に係る家具用張り部材は、着座者の身体を支持する支持面を構成するものであって、第１の張材要素と、この第１の張材要素よりも伸縮率が低く第１の張材要素の後背に重合している第２の張材要素と、これら第１の張材要素と第２の張材要素との間に形成した流体を収容する袋部とを具備することを特徴とする。
【０００６】
このようなものであれば、袋部内に流体を収容しているので、着座者の荷重により袋部が変形可能であるとともに、支持面を有する第１の張材要素が追随して変形可能である。従ってこの張り部材を用いた支持面にクッション性を付与することができる。また、着座者の背面等、着座者の支持面に当接する部位の形状に対応させて支持面を突出させるべき箇所にこのような袋部を形成すれば、剛性を有するシェルを用いることなく主に張材を用いる構成であっても、支持面の形状を、着座者の背面の形状などに対応させ、座り心地を向上させる要望に対応することができる。
【０００７】
このような張り部材のうち部位ごとにクッション性を変化させるための態様として、前記袋部を複数具備するものであって、各袋部の外縁となるべき部分で前記第１の張材要素及び前記第２の張材要素を接合して各袋部を形成しているものが挙げられる。このようなものであれば、各袋部の外縁となるべき部分で前記第１の張材要素及び前記第２の張材要素を接合しているので、１つの袋部が着座者の荷重により変形しても、該袋部外縁の接合部位より外側の他の袋部の形状には影響がないからである。
【０００８】
座り心地を向上させるための態様の一例として、前記複数の袋部を互いに連通させているとともに、いずれかの袋部が支持面から受けた外力を受けて収縮した際に他の袋部が膨張するようにしているものが挙げられる。このようなものであれば、体重の偏りにより荷重が大きくかかる箇所とかかる加重が小さい箇所が存在する場合に、加重に応じて支持面の形状が変化し着座者にフィットするからである。
【０００９】
特に、前記複数の袋部間の連通部に、流体の流通を規制可能な制御弁を設けているものであれば、好みの支持面形状となった際に制御弁を閉止し、支持面形状を好みの形状に固定することができる。
【００１０】
さらに、家具用張り部材に好適にクッション性を備えさせるための構成として、前記袋部内部に、空気等の気体を充満させてなるとともに荷重を受けて変形可能なエアバッグを挿入しているものや、前記袋部を、空気等の気体を充満させてなるとともに荷重を受けて変形可能なエアバッグとして構成しているものが挙げられる。
【００１１】
このような張り部材のクッション性を変化させるための構成として、前記袋部内部に挿入したエアバッグ、又は前記エアバッグとして構成した袋体が、気体の流出入を受けて収縮及び膨張可能であるものが挙げられる。
【００１２】
そして、前記袋部内に、支持面から外力を受けた状態が解消した際に袋部の形状を外力を受ける以前に回復可能な外形回復手段を設けているものであれば、外力を受けない状態での袋部の形状を、平均的な体格を有する着座者にフィットする形状に設定することにより、より多くの着座者に対応させることができる。
【発明の効果】
【００１３】
本発明に係る張り部材の構成によれば、第１の張材要素と第２の張材要素との間に袋部を形成し、この袋部内に流体を収容しているので、着座者の荷重により袋部が変形可能であるとともに、支持面を有する第１の張材要素が追随して変形可能である。従ってこの張り部材を用いた支持面にクッション性を付与することができる。また、着座者の背面等、着座者の支持面に当接する部位の形状に対応させて支持面を突出させるべき箇所にこのような袋部を形成すれば、剛性を有するシェルを用いることなく主に張材を用いる構成であっても、支持面の形状を、着座者の背面の形状などに対応させ、座り心地を向上させる要望に対応することができる。
【発明を実施するための最良の形態】
【００１４】
以下、本発明の一実施形態を、図面を参照して説明する。
【００１５】
本実施形態の椅子Ｃは、図１に示すように、脚体４と、脚体４に支持させた基体２と、基体２上に配設した座３と、基体２から起立させて設けた背凭れ１と、この背凭れ１の上方に設けたヘッドレスト５とを具備する。
【００１６】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１７】
基体２は脚支柱４２の上端に固定してあって、脚支柱４２の突没操作を通じて座３及び背凭れ１の高さ位置を調節することができる。
【００１８】
座３は、座受３１に座面を形成するクッション体３２を装着してなる。座３は、基体２に対し前後方向にスライド移動可能に支持させており、下記背フレーム１１に軸（図示せず）を介して取着している。
【００１９】
背凭れ１は、前記図１に示すように、また、中央縦断端面図を図２及び図３に示すように、背フレーム１１の前面に背凭れ面Ｓを形成する張り部材１２を張り設けたものである。背フレーム１１は、本実施形態では基体２から後上方に起立させて左右１対に設けている。また、この背フレーム１１は、この背凭れ１の上端、より正確には張り部材１２の上端を越えてさらに上方に延伸させて設けている。そして、左右の背フレーム１１の上端間及び下端間は、横架材１３を介して接続している。
【００２０】
ヘッドレスト５は、前記背フレーム１１の上端から延伸させて設けたヘッドレストフレーム５１と、このヘッドレストフレーム５１の前方に設けたヘッドレスト本体５２とを具備する。
【００２１】
しかして本実施形態では、前記図２及び図３に示すように、背凭れ１の張り部材１２は、第１の張材要素１２１と、この第１の張材要素１２１よりも伸縮率が低く第１の張材要素１２１の後背に重合している第２の張材要素１２２と、これら第１の張材要素１２１と第２の張材要素１２２との間に形成した流体を収容する袋部１２３とを具備する。
【００２２】
第１の張材要素１２１は、例えばポリウレタン糸など伸縮性の高い糸を使用したニット編みにより形成された布地で、強度とクッション性とを両備している。
【００２３】
第２の張材要素１２２は、例えば合成繊維のダブルラッセルメッシュにさらにエラストマ糸等の弾性糸を編み込んだもの（詳細には、それぞれ伸縮変形可能なメッシュ地の表布と裏布とをダブルラッセル編みで立体的に縫い合わせてなる）で、強度とクッション性とを両備している。そして、伸縮率を第１の張材要素１２１より低く、具体的には弾性係数を第１の張材要素１２１より大きくしている。
【００２４】
袋部１２３は、本実施形態では、第１の張材要素１２１の上半部と第２の張材要素１２２の上半部との間、及び第１の張材要素１２１の下半部と第２の張材要素１２２の下半部との間にそれぞれ設けている。
【００２５】
さらに詳述すると、この袋部１２３は、該袋部１２３の外縁となるべき部分に接合部１２３ａを設け、この接合部１２３ａにおいて前記第１の張材要素１２１及び前記第２の張材要素１２２を縫合等の方法により接合することにより形成している。また、この袋部１２３内部には、空気等の気体を充満させてなるとともに荷重を受けて変形可能なエアバッグ１２４を挿入している。
【００２６】
このように構成した椅子において、背凭れ１の形状を着座者の背面の形状に対応させる際の作用を以下に示す。ます、上半部又は下半部のエアバッグ１２４中の気体の量を変更してエアバッグ１２４を変形させる。すると、弾性率がより小さな第１の張材要素１２１が第２の張材要素１２２に優先して変形する。すなわち、背凭れ１の背凭れ面Ｓの表面形状が変形する。このようなエアバッグ１２４中の気体量の調節を上半部及び下半部のエアバッグ１２４に対して順次行うことにより、背凭れ面Ｓの表面形状を背面の形状に対応させることができる。
【００２７】
なお、本実施形態では、エアバッグ１２４の形状は、より多くの着座者に対応させるべく、外力を受けない状態で平均的な体格を有する着座者にフィットする形状に設定しているとともに、支持面から外力を受けた状態が解消した際に、外力を受ける以前の形状に回復するようにしている。すなわち、このエアバッグは、請求項中の外径回復手段として機能する。
【００２８】
以上に述べたように、本実施形態に係る張り部材１２は、着座者の身体を支持する背凭れ面Ｓを構成するものであって、第１の張材要素１２１と、この第１の張材要素１２１よりも弾性率が大きく第１の張材要素１２１の後背に重合している第２の張材要素１２２と、これら第１の張材要素１２１と第２の張材要素１２２との間に形成した流体を収容する袋部１２３とを具備するので、着座者の荷重により袋部１２３が変形可能であるとともに、背凭れ面を有する第１の張材要素１２１が追随して変形可能である。従ってこの張り部材１２を用いた背凭れ面にクッション性を付与することができる。
【００２９】
また、前記袋部１２３の外縁となるべき部分で前記第１の張材要素１２１及び前記第２の張材要素１２２を接合し、前記袋部１２３を形成しているので、背凭れ面Ｓの上半部又は下半部のうち所望の部位の袋部１２３を膨張又は収縮させることにより、他方の部位の表面形状にほとんど影響を与えることなく所望の部位の表面形状を変更させることができる。
【００３０】
さらに、前記袋部１２３内部に、空気等の気体を充満させてなるとともに荷重を受けて変形可能なエアバッグ１２４を挿入しているので、張り部材１２に好適にクッション性を備えさせることができる。
【００３１】
そして、袋部１２３を膨張又は収縮させ、第１の張材要素１２１の形状を変更することにより、この張り部材１２の表面形状を簡単な構成及び簡単な操作により変更可能にすることができる。
【００３２】
なお、本発明は以上に述べた実施態様に限られない。
【００３３】
例えば、上述した実施形態において、第１の張材要素と第２の張材要素との間に袋部を形成し、この袋部内にエアバッグを配置したが、第１の張材要素及び第２の張材要素を気密性を有するシート状の部材により構成するとともに、これら第１の張材要素及び第２の張材要素を所定領域を囲繞する形状に接合してこの所定領域の第１の張材要素と第２の張材要素とに挟まれた部位を袋部とし、この袋部を空気等の気体を充満させてなるとともに荷重を受けて変形可能なエアバッグとして構成してもよい。
【００３４】
さらに、上述した実施形態のような袋部内部にエアバッグを挿入する態様や、前段で述べたような袋部をエアバッグとして構成する態様だけでなく、袋部内部に液体状又はゲル状の流体を充満させた袋体を挿入してもよく、袋部自体の内部に液体状又はゲル状の流体を充満させるようにしてももちろんよい。
【００３５】
加えて、全体斜視図を図４に示すような椅子ＣＣに本発明に係る張り地を採用してもよい。この椅子ＣＣは、脚羽根Ａ４１及びこの脚羽根４１の中央より略垂直に立ち上がる脚支柱Ａ４２を有する脚体Ａ４と、脚体Ａ４に支持させた基体Ａ２と、基体Ａ２上に配設した座Ａ３と、水平支軸Ａ１６を介して基体Ａ２に枢着した背凭れＡ１とを具備する。
【００３６】
さらに、この背凭れＡ１は、背フレームＡ１１の前面に背凭れ面Ｓを形成する背凭れ面部Ａ１２を張り設けたものである。背フレームＡ１１は、基体Ａ２に対し水平支軸Ａ１６回りに回動可能に連結している下フレーム部Ａ１３と、下フレーム部Ａ１３の上端にヒンジＡ１７を介して連結している上フレーム部Ａ１４と、上フレーム部Ａ１４を後方より支持する反力フレーム部Ａ１５とを備えている。
【００３７】
そして、この背凭れＡ１の背凭れ面部Ａ１２は、背フレームＡ１１の前面にバックアップ材Ａ１２２を、バックアップ材Ａ１２２の前面に張り部材Ａ１２１を配して構成している。この張り部材Ａ１２１に上述した実施形態における張り部材１２と同様の構成を採用している。
【００３８】
すなわち、この椅子ＣＣでも、背フレームＡ１１の前方に張り部材Ａ１２１を設け、この張り部材Ａ１２１が、第１の張材要素たる第１の張地Ａ１２１ａと、この第１の張地Ａ１２１ａよりも弾性率が大きく第１の張地Ａ１２１ａの後背に重合している第２の張材要素たる第２の張地Ａ１２１ｂと、これら第１の張地Ａ１２１ａと第２の張地Ａ１２１ｂとの間に形成した流体を収容する袋部Ａ１２１ｃとを具備する。この袋部Ａ１２１ｃは、該袋部Ａ１２１ｃの外周となるべき部位Ａ１２１ｘにおいて前記第１の張地Ａ１２１ａと第２の張地Ａ１２１ｂとを縫合などの方法により接合することにより形成している。そして、前記袋部Ａ１２１ｃ内部に、空気等の気体を充満させてなるとともに荷重を受けて変形可能なエアバッグＡ１２１ｄを挿入している。なお、この張り部材Ａ１２１は、上端部及び左右両端部を前記バックアップ材Ａ１２２の側面に設けた凹溝に挿入するようにしてこのバックアップ材Ａ１２２に取り付けるようにしている。また、この背凭れＡ１の背凭れ面部Ａ１２の下端は、背凭れ固定部材Ａ１２３を介して背フレームＡ１１の下端に接続している。
【００３９】
このような椅子ＣＣの構成であっても、張り部材Ａ１２１に上述したような構成を採用しているので、上述した実施形態における主な効果は全て得られる。
【００４０】
加えて、本発明に係る張り部材は、椅子の背凭れ以外に採用してもよい。例えば、椅子の座の座面を形成する張り部材や、ヘッドレストを有する椅子のヘッドレストの前面を形成する張り部材等に本発明の構成を採用してもよい。
【００４１】
そして、このような張り部材のクッション性を変化させるべく、前記袋部内部に挿入したエアバッグ、又は前記エアバッグとして構成した袋体に、気体等の流体の流出入を受けて収縮及び膨張可能にすべく、流体導出入手段たるチューブの一端部を接続するとともに、このチューブの他端部に逆止弁を有する流体供給源たる空気ポンプ等を接続する構成を採用してもよい。
【００４２】
さらに、上述した実施形態におけるエアバッグ１２４を２箇所に独立に設ける構成に代えて、図２に対応する図を図６に示すように、複数の袋部１２３内の袋体（エアバッグＢ１２４）を互いに連通させ、いずれかのエアバッグＢ１２４が支持面から受けた外力を受けて収縮した際に他のエアバッグＢ１２４が膨張するようにしてもよい。さらに、同図に示すように、前記複数のエアバッグＢ１２４、Ｂ１２４間の連通部に、流体（気体）の流通を規制可能な制御弁Ｂ１２５を設けてもよい。そして、これらのエアバッグＢ１２４、Ｂ１２４に対して外部から気体を供給する気体供給手段（逆止弁付きポンプＰ）を設けてもよい。
【００４３】
このように構成すれば、体重の偏りにより荷重が大きくかかる箇所とかかる加重が小さい箇所が存在する場合に、加重に応じて支持面の形状が変化し着座者にフィットさせ、座り心地の向上を図ることができる。また、前記制御弁を設けているので、好みの支持面形状となった際に制御弁を閉止し、支持面形状を好みの形状に固定することもできる。
【００４４】
その他、本発明の趣旨を逸脱しない範囲で種々変形が可能である。
【図面の簡単な説明】
【００４５】
【図１】本発明の一実施形態に係る椅子を示す全体斜視図。
【図２】同実施形態に係る椅子の背凭れの中央縦断端面を模式的に示す図。
【図３】同実施形態に係る椅子の背凭れの中央縦断端面を模式的に示す図。
【図４】本発明の他の実施態様に係る椅子を示す全体斜視図。
【図５】同実施態様に係る椅子の背凭れの中央縦断端面を模式的に示す図。
【図６】本発明の他の実施態様に係る椅子の背凭れの中央縦断端面を模式的に示す図。
【符号の説明】
【００４６】
Ｃ…椅子
１２…張り部材
１２１…第１の張材要素
１２２…第２の張材要素
１２３…袋部
Ｓ…背凭れ面
【図１】
2009082527.tif 000003
【図２】
2009082527.tif 000004
【図３】
2009082527.tif 000005
【図４】
2009082527.tif 000006
【図５】
2009082527.tif 000007
【図６】
2009082527.tif 000008